(57)【要約】【課題】制御単位の変更を容易に行うことのできる照明装置を提供すること。【解決手段】ランプ（図示はしない）を調光点灯する調光点灯手段１と、調光点灯手段１及び制御端末２ａ、２ｂに接続され、スイッチの切り替えにより所定の制御端末、すなわち制御端末２ａ又は２ｂを選択して調光信号を調光点灯手段１に出力する中間接続器４とを備えている。調光点灯手段１は、インバータ回路等を備えて、ランプを安定化させて点灯し、さらに、たとえばランプに流れる電流を絞ることによりランプを調光点灯させるもので、ランプを支持するソケット５、電源線が接続される電源接続用端子台６、中間接続器４が接続されている。これらの各部品は、所定の間隔を空けて照明器具本体７に配設されている。【選択図】        図１
2004259517.tif 000002
【特許請求の範囲】
【請求項１】
ランプと、ランプを調光点灯する調光点灯手段と、調光点灯手段に接続される中間接続器と、を有してなる照明装置において、中間接続器は、調光信号を出力する複数の制御端末に接続され、スイッチの切り替えにより複数の制御端末から所定の制御端末を選択して調光信号を調光点灯手段に出力するものであることを特徴とする照明装置。
【請求項２】
前記中間接続器は、箱体と、箱体内に配設され制御端末又は調光点灯手段のいずれかに接続される複数の導電体片と、箱体の一面を覆って箱体の内面側に導体板を貼り付けた切替片と、を備えて構成され、切替片を箱体の一面に沿ってスライドさせて導体片と導体板との接続の組み合わせを替えることにより、スイッチの切り替えを行うものであることを特徴とする請求項１記載の照明装置。
【請求項３】
前記中間接続器は、調光信号を調光点灯手段に出力する出力端子として、中間接続器の箱体から突出する導体の棒状部分を有するものであることを特徴とする請求項２記載の照明装置。
【発明の詳細な説明】
【０００１】
【発明の属する技術分野】
本発明は、照明装置、特に調光等の制御機能を有する照明装置に関するものである。
【０００２】
【従来の技術】
この種の照明装置の従来例としては、特開平８−３３００９０号公報に示されるものがある。このものは、交流電源電圧を直流電圧に変換する電源回路と、前記直流電圧を交流の高周波電圧に変換し、放電灯に供給するインバータ回路と、前記インバータ回路を駆動する制御部と、前記制御部に電源供給する制御電源と、前記放電灯を調光制御するための調光信号を受信して前記制御部に送信するフォトカプラとを同一プリント基板上に配置すると共に、前記調光信号の入力端を前記プリント基板の一端に設けた放電灯点灯装置において、前記フォトカプラを、前記プリント基板の入力端近傍に配置している。これにより、調光信号入力線短絡による性能劣化を防止可能であると共に、調光可能な放電灯点灯装置を提供できる。
【０００３】
また、従来例の別例としては、特開平５−２１１７１号公報に示されるものがある。このものは、調光可能な点灯装置を内蔵した照明装置に用いられる回路パターン構造において、端子やラインからなる器具アース部と、商用電源ラインと調光信号ラインとを備えるとともに、商用電源ラインを調光信号ラインよりも器具アース部に近接させたものである。これにより、器具アースからスパークオーバによってサージ電圧が生じた場合には、サージ電圧を商用電源ラインに逃がすことができる。
【０００４】
【特許文献１】
特開平８−３３００９０号公報
【０００５】
【特許文献２】
特開平５−２１１７１号公報
【０００６】
【発明が解決しようとする課題】
ところで、オフィスや店舗空間等の照明使用空間においては、従来例のような照明装置を複数設置し、これらを制御単位に分割して制御を行うことがある。一方、この照明使用空間のレイアウト変更は、制御単位に関わらず行われるため、従来例のような照明装置では、レイアウト変更の度に照明装置間の配線工事を行い、制御単位の変更をする必要があった。
【０００７】
本発明は、かかる事由に鑑みてなしたものであり、その目的とするところは、制御単位の変更を容易に行うことのできる照明装置を提供することである。
【０００８】
【課題を解決するための手段】
請求項１に係る発明は、ランプと、ランプを調光点灯する調光点灯手段と、調光点灯手段に接続される中間接続器と、を有してなる照明装置において、中間接続器は、調光信号を出力する複数の制御端末に接続され、スイッチの切り替えにより複数の制御端末から所定の制御端末を選択して調光信号を調光点灯手段に出力するものであることを特徴とする。
【０００９】
請求項２に係る発明は、請求項１記載の発明において、前記中間接続器は、箱体と、箱体内に配設され制御端末又は調光点灯手段のいずれかに接続される複数の導電体片と、箱体の一面を覆って箱体の内面側に導体板を貼り付けた切替片と、を備えて構成され、切替片を箱体の一面に沿ってスライドさせて導体片と導体板との接続の組み合わせを替えることにより、スイッチの切り替えを行うものであることを特徴とする。
【００１０】
請求項３に係る発明は、請求項２記載の発明において、前記中間接続器は、調光信号を調光点灯手段に出力する出力端子として、中間接続器の箱体から突出する導体の棒状部分を有するものであることを特徴とする。
【００１１】
【発明の実施の形態】
（第１の実施形態）
第１の実施形態の実施形態を図１〜図７に基づいて説明する。図１は、照明装置１００内の部品配置図である。図２は、中間接続器４の全体斜視図である。図３は、中間接続器４の分解斜視図である。図４は、図３に示す中間接続器４の断面図である。  図５は、図３において切替片９を取り除いた状態での、上面図である。図６は、照明装置１００と制御端末２ａ、２ｂの組み合わせの例を示す図である。図７は、照明装置１００と制御端末２ａ、２ｂの組み合わせの別例を示す図である。
【００１２】
本実施形態の照明装置１００は、ランプ（図示はしない）を調光点灯する調光点灯手段１と、調光点灯手段１及び調光信号を出力する制御端末２ａ、２ｂに接続され、スイッチの切り替えにより所定の制御端末、すなわち制御端末２ａか２ｂかを選択して、調光信号を調光点灯手段１に出力する中間接続器４とを備えている。
【００１３】
調光点灯手段１は、インバータ回路等を備えて、ランプを安定化させて点灯し、必要に応じてランプに流れる電流を絞ることによりランプを調光点灯させるもので、ランプを支持するソケット５、電源線が接続される電源接続用端子台６、中間接続器４が接続されている。これらの各部品は、所定の間隔を空けて照明器具本体７に配設されている。
【００１４】
図２に示す中間接続器４は、ポリプロピレン等の材料を用いて、１辺が２０〜４０ｍｍ程度の略直方体に形成された箱体８と、箱体８の一面８ｈを覆う切替片９と、を有している。図２（ａ）に示すように、箱体８の側壁８ａには、２つの制御端末２ａ、２ｂに接続される２線の信号線１０ａ、１０ｂを取り付けるため、４つの孔８ｂを設けている。また、図２の（ｂ）は、（ａ）に示す図を背面から見た図である。図２（ｂ）に示すように、側壁８ａに対向する側壁８ｄには、調光点灯手段１側に接続される信号線１０ｃを取り付けるために２つの孔８ｃを設けている。また、図３に示すように箱体８は、切替片９が取付けられる一面８ｈ上の側壁８ａ近傍に突起部８ｅを有している。突起部８ｅは、図２に示すように切替片９に設けた側壁８ａに沿って伸びる孔９ａに挿入されている。
【００１５】
また、図３の分解斜視図に示すように、切替片９の箱体８方向の面９ｂには、所定の間隔を有して、２枚の導体板１１が配設されている。そして、箱体８は、紙面上での上面方向に開口した６ヶ所の凹部８ｆを有しており、側壁８ａ側に位置する４つの凹部８ｆには、制御端末２ａ、２ｂに接続される導電体片１２が挿入されている。また、側壁８ｄ側に位置する２つの凹部８ｆには、調光点灯手段１に接続される導電体片１３が挿入されている。導電体片１２は、図４に示すように、切替片９に対して平行に位置する面１２ａと、導電体片１２の一部を折り曲げることにより得られる信号線１０を係止する隙間１２ｂを有している。また、導電体片１３は、導電体片１２の２つ分の幅を有するもので、他は導電体片１２と同じである。
【００１６】
つぎに、中間接続器４の動作について説明する。中間接続器４が図２（ａ）に示す状態である場合において、導体板１１、導電体片１３及び導電体片１２の位置関係は、図５（ａ）に示す状態となっている。すなわち、信号線１０ｂに対応する導電体片１２と導電体片１３は、導体板１１を掛け渡して接続されることにより、信号線１０ｂに対応する導電体片１２と、信号線１０ｃに対応する導電体片１３が電気的に接続されることになる。つぎに、図２（ａ）において切替片９を、紙面上で左斜め上方向にスライドさせると、図５（ｂ）のように、信号線１０ａに対応する導電体片１２と導電体片１３は、導体板１１を掛け渡して接続される。これにより、信号線１０ａに対応する導電体片１２と、導電体片１３が電気的に接続されることになる。すなわち、信号線１０ａと信号線１０ｂの接続が切り換わるのである。
【００１７】
つぎに、中間接続器４の具体的な使用例について説明する。図６は、第１の照明装置１００と制御端末２ａ、２ｂの組み合わせ例を示す図である。図６に示すように、制御端末２ａには、６つの照明装置１００が接続されている。また、制御端末２ｂには、４つの照明装置１００が接続されている。ここで、中間接続器４が図示された２つの照明装置１００には、制御端末２ａからの信号線１０ａ及び制御端末２ｂからの信号線１０ｂが接続されている。この接続において、破線で示した制御単位１５及び１６で調光制御を行うには、中間接続器４を図６に図示した状態にし、中間接続器４が図示された２つの照明装置１００が制御端末２ｂに接続されるようにする。また、制御単位１７及び１８で調光制御を行うには、中間接続器４を矢印の方向に切り替えて、中間接続器４を図示した２つの照明装置１００が制御端末２ａに接続されるようにする。以上のように、予め制御単位の変更を想定して中間接続器４を制御端末２ａ、２ｂに接続しておくことで、制御単位を変更する時には中間接続器４の切り替えをするだけで、制御単位の変更を容易に行うことができる。
【００１８】
また、図７は、第２の照明装置１００と制御端末２ａ、２ｂの組み合わせの別例を示す図である。図７中、中間接続器４が図示された照明装置１００には、制御端末２ａからの信号線１０ａ及び制御端末２ｂからの信号線１０ｂが接続されている。この接続において、制御単位１９で調光制御を行うには、中間接続器４を図７に示す状態にし、中間接続器４を図示した照明装置１００が紙面上で下側の制御端末２ｂに接続されるようにする。また、制御単位２０及び２１で調光制御を行うには、中間接続器４を矢印で示す方向に切り替えて、中間接続器４を図示した照明装置１００が制御端末２ａに接続されるようにする。
【００１９】
（第２の実施形態）
第２の実施形態を、図８及び図９に基づいて説明する。図８は、本実施形態での切替片９の取り付け時の様子を示す図である。図９は、本実施形態の全体斜視図である。
【００２０】
本実施形態においては、箱体８に一対の断面略Ｌ字状の突出部２５を設けた点が、第１の実施形態と異なり、他は同じである。すなわち、箱体８の側壁８ａに直交する側壁８ｇの上端部に、側壁８ａ側から見て垂直に立ち上がる一対の断面略Ｌ字状の突出部２５を側壁８ａから側壁８ｄに渡って設けている。ここで、切替片９は、図８に示すように、一対の断面略Ｌ字状の突出部２５間にスライドさせて挿入して取り付ける。そして図９において、切替片９を側壁８ａに平行にスライドさせると、突起部８ｅが孔９ａの縁に引っかかることにより、所定の範囲以上は動かないように制限される。さらに、切替片９は、突出部２５に突き当たり、所定の範囲以上は動かないように制限される。すなわち、切替片９は、突起部８ｅ及び突出部２５によって可動範囲を制限されるので、切替片９の箱体８からの脱落することを防止することができる。
【００２１】
（第３の実施形態）
第３の実施形態を、図１０及び図１１に基づいて説明する。図１０は、本実施形態の全体斜視図である。図１１は、調光点灯手段１と中間接続器４を示す図である。
【００２２】
本実施形態は、図２（ｂ）に示した調光点灯手段１に接続される信号線１０用の孔８ｃの代わりに、調光信号を調光点灯手段１に出力する出力端子となる導電体片１３に中間接続器４の箱体８から突出する導体の棒状部分１３ｂを設けたものである。すなわち、図１０に示すように、導電体片１３を略Ｌ字状に形成し、略Ｌ字状を形成する導電体片１３の面１３ａから、紙面上で右下面方向に伸びる棒状部分１３ｂを設ける。そして、導電体片１３の棒状部分１３ｂが、箱体８の外部に突出するように、導電体片１３を切替片９と箱体８とで挟み込んで固定する。
【００２３】
この中間接続器４の棒状部分１３ｂは、図１１に示すように、調光点灯手段１に設けた接続端子３１に差し込まれて接続される。接続端子３１は、ポリプロピレン等の材料で、孔３２が設けられた傾斜面を有する箱体形状に形成されている。そして、棒状部分１３ｂは、孔３２に挿入されて接続される。
【００２４】
以上のように、中間接続器４の棒状部分１３ｂを、調光点灯手段１に設けた接続端子３１に差し込むようにすることにより、信号線１０を用いることなく、中間接続器４と調光点灯手段１とを電気的に接続することができるのである。
【００２５】
【発明の効果】
請求項１に係る発明は、ランプと、ランプを調光点灯する調光点灯手段と、調光点灯手段に接続される中間接続器と、を有してなる照明装置において、中間接続器は、調光信号を出力する複数の制御端末に接続され、スイッチの切り替えにより複数の制御端末から所定の制御端末を選択して調光信号を調光点灯手段に出力するものであるようにしたので、予め制御単位の変更を想定して中間接続器を制御端末に接続しておくことで、制御単位を変更する時には中間接続器の切り替えをするだけで、制御単位の変更を容易に行うことができる。
【００２６】
請求項２に係る発明は、請求項１記載の発明において、前記中間接続器は、箱体と、箱体内に配設され制御端末又は調光点灯手段のいずれかに接続される複数の導電体片と、箱体の一面を覆って箱体の内面側に導体板を貼り付けた切替片と、を備えて構成され、切替片を箱体の一面に沿ってスライドさせて導体片と導体板との接続の組み合わせを替えることにより、スイッチの切り替えを行うものであるようにしたので、切替片が比較的大きな面積を持つことになり、スイッチの切り替えを容易に行うことができる。
【００２７】
請求項３に係る発明は、請求項２記載の発明において、前記中間接続器は、調光信号を調光点灯手段に出力する出力端子として、中間接続器の箱体から突出する導体の棒状部分を有するものであるようにしたので、請求項１の効果に加え、中間接続器と調光点灯手段との間に信号線を用いることなく、電気的に中間接続器と調光点灯手段とを接続することができる。
【図面の簡単な説明】
【図１】第１の実施形態における照明装置１００内の部品配置図である。
【図２】第１の実施形態における中間接続器４の全体斜視図である。
【図３】第１の実施形態における中間接続器４の分解斜視図である。
【図４】第１の実施形態における図３に示す中間接続器４の断面図である。
【図５】第１の実施形態における図３において切替片９を取り除いた状態での、上面図である。
【図６】第１の実施形態における照明装置１００と制御端末２ａ、２ｂの組み合わせの例を示す図である。
【図７】第１の実施形態における照明装置１００と制御端末２ａ、２ｂの組み合わせ別例を示す図である。
【図８】第２の実施形態における切替片９の取り付け時の様子を示す図である。
【図９】第２の実施形態の全体斜視図である。
【図１０】第３の実施形態の全体斜視図である。
【図１１】第３の実施形態の調光点灯手段１と中間接続器４を示す図である。
【符号の説明】
１    調光点灯手段
２ａ    制御端末
２ｂ    制御端末
４    中間接続器
５    ソケット
６    電源接続用端子台
７    照明器具本体
８    箱体
８ａ    側壁
８ｂ    孔
８ｃ    孔
８ｄ    側壁
８ｅ    突起部
８ｆ    凹部
８ｇ    側壁
９      切替片
９ａ    孔
９ｂ    面
１０ａ  信号線
１０ｂ  信号線
１０ｃ  信号線
１１    導体板
１２    導電体片
１２ａ  面
１２ｂ  隙間
１３    導電体片
１００  照明装置
【図１】
2004259517.tif 000003
【図２】
2004259517.tif 000004
【図３】
2004259517.tif 000005
【図４】
2004259517.tif 000006
【図５】
2004259517.tif 000007
【図６】
2004259517.tif 000008
【図７】
2004259517.tif 000009
【図８】
2004259517.tif 000010
【図９】
2004259517.tif 000011
【図１０】
2004259517.tif 000012
【図１１】
2004259517.tif 000013